(57)【要約】【課題】複数の表示体を有する表示装置において、書籍を読む場合と同様の直感的な操作により画像の遷移を行えるようにする。【解決手段】表示装置１０は、第１表示体１１０と第２表示体２１０とを備え、第１表示体１１０と第２表示体２１０とを連結部材３１０により連結する。連結部材３１０は、曲げ変形が可能である。曲げセンサ４１０は、連結部材３１０の曲げ変形に応じて曲がるセンサであり、その曲げ角度に応じて抵抗が変化する。表示装置１０は、第１表示体１１０と第２表示体２１０とを対向させ、自装置を閉じるような動きを曲げセンサ４１０により検知した場合に、第１表示体１１０及び第２表示体２１０に表示される画像を変更する。【選択図】図１
2009223169.tif 000002
【特許請求の範囲】
【請求項１】
供給されるデータに応じた画像を表示する複数の表示体と、
前記複数の表示体を連結する連結部材であって、外力によってある表示体と他の表示体とがなす角度を変化させるように曲がる連結部材と、
前記連結部材の曲げ角度を検知する検知手段と、
前記検知手段により検知された曲げ角度の変化に応じて前記複数の表示体の少なくともいずれかの画像を変更する変更手段と
を備えることを特徴とする表示装置。
【請求項２】
前記複数の表示体は、第１の表示体と第２の表示体とを含み、
前記変更手段は、
前記第１の表示体にある画像が表示されている場合において、前記検知手段により検知された曲げ角度がある角度に達したとき、当該画像を前記第２の表示体に表示させる
ことを特徴とする請求項１に記載の表示装置。
【請求項３】
前記検知手段は、前記曲げ角度を正方向及び負方向に検知し、
前記変更手段は、
前記検知手段により検知された曲げ角度の変化が正方向である場合と負方向である場合とで変更の態様を異ならせる
ことを特徴とする請求項１に記載の表示装置。
【請求項４】
前記変更手段が、前記検知手段により検知された曲げ角度の変化の速さの相違に応じて変更の態様を異ならせる
ことを特徴とする請求項１に記載の表示装置。
【請求項５】
前記変更手段が、前記検知手段により検知された曲げ角度の変化量の相違に応じて変更の態様を異ならせる
ことを特徴とする請求項１に記載の表示装置。
【請求項６】
前記変更手段が、前記曲げ角度の変化の速さがある値より大である場合に、前記表示体の画像を書き換えるときの書換速度を、前記曲げ角度の変化の速さがある値である場合の書換速度よりも速くする
ことを特徴とする請求項４に記載の表示装置。
【請求項７】
前記画像は、複数あり、各々に連続するページ番号のいずれかが割り当てられ、
前記変更手段は、
第１のページ番号が割り当てられた画像が表示されている前記表示体に、
前記曲げ角度の変化の速さがある値以下である場合に、前記第１のページ番号より大である第２のページ番号が割り当てられた画像を表示させ、
前記曲げ角度の変化の速さがある値より大である場合に、前記第２のページ番号より大である第３のページ番号が割り当てられた画像を表示させる
ことを特徴とする請求項４に記載の表示装置。
【発明の詳細な説明】
【技術分野】
【０００１】
本発明は、複数の表示体を有する表示装置の表示制御に関する。
【背景技術】
【０００２】
書籍等をデータ化し、持ち運び可能な表示装置にこれを表示させる技術がある。かかる用に供される表示装置のことを、特に電子ブックという場合もある。ここでいう電子ブックは、表示体を１又は複数用いたものである。この電子ブックの表示体としては、薄型で書き換え可能である、いわゆる電子ペーパがよく用いられる。また、電子ブックには、ボタン操作などによらない直感的な操作性を求められる場合がある（例えば、特許文献１〜３参照）。
【特許文献１】特開２００４−２１３５５８号公報
【特許文献２】特開２００５−２６６２２６号公報
【特許文献３】特開２００５−２６７１７０号公報
【発明の開示】
【発明が解決しようとする課題】
【０００３】
特許文献１〜３に記載された技術は、表示装置の位置、姿勢、圧力などを検知して画像を書き換えるものであるが、いわば特殊な操作を要求されるものであり、書籍を読む場合と同様の操作性を実現できているとはいえない。そのため、かかる操作を要求される表示装置に接したユーザにあっては、その操作に違和感を覚えたり、事前の説明なしにはうまく操作できなかったりする可能性が少なからずある。また、特許文献２及び３には、電子ペーパをめくる動作について記載されているが、この動作によってどのように画像を書き換え、ページ遷移を行うのか不明である。
そこで、本発明は、複数の表示体を有する表示装置において、書籍を読む場合と同様の直感的な操作により画像の遷移を行えるようにすることを目的とする。
【課題を解決するための手段】
【０００４】
本発明に係る表示装置は、供給されるデータに応じた画像を表示する複数の表示体と、前記複数の表示体を連結する連結部材であって、外力によってある表示体と他の表示体とがなす角度を変化させるように曲がる連結部材と、前記連結部材の曲げ角度を検知する検知手段と、前記検知手段により検知された曲げ角度の変化に応じて前記複数の表示体の少なくともいずれかの画像を変更する変更手段とを備えることを特徴とする。
本発明に係る表示装置によれば、複数の表示体を連結する連結部材の曲げ角度の変化に応じて画像の変更、すなわち書き換えが行われるため、書籍のページをめくるような操作により画像の遷移を行うことが可能となる。すなわち、本発明に係る表示装置は、画像の書き換えのための操作が直感的である。
【発明を実施するための最良の形態】
【０００５】
［実施形態］
図１は、本発明の一実施形態である表示装置の構成を示す図である。また、図２は、この表示装置の構成をブロック図により示すものである。図１に示すように、表示装置１０は、第１表示体１１０と、第１駆動回路１２０と、第２表示体２１０と、第２駆動回路２２０と、連結部材３１０と、曲げセンサ４１０と、曲げ検知回路４２０と、メモリ５１０と、フレキシブル基板６１０を備える。
なお、説明の便宜上、以下においては、第１表示体１１０及び第１駆動回路１２０が設けられた側を「左ページ部１０Ｌ」といい、第２表示体２１０及び第２駆動回路２２０が設けられた側を「右ページ部１０Ｒ」という。
【０００６】
第１表示体１１０及び第２表示体２１０は、複数の画素により画像を表示する表示体であり、本実施形態においては、いわゆる電子ペーパである。第１表示体１１０及び第２表示体２１０は、第１駆動回路１２０又は第２駆動回路２２０から供給される電圧に応じた画像を表示する。第１表示体１１０及び第２表示体２１０は、望ましくは、記憶性表示素子により構成される。ここにおいて、記憶性表示素子とは、ある電圧が印加された場合に当該電圧に応じた画像を表示するとともに、電圧の印加後であって電圧が印加されない状態においても表示した画像を保持しようとする表示素子をいう。記憶性表示素子としては、例えば、電気泳動素子やコレステリック液晶による表示素子を用いることができる。
【０００７】
第１駆動回路１２０は、第１表示体１１０を駆動する駆動回路であり、第２駆動回路２２０は、第２表示体２１０を駆動する駆動回路である。第１駆動回路１２０及び第２駆動回路２２０は、これらが協働することによって第１表示体１１０及び第２表示体２１０に表示される画像を変更する変更手段として機能する。第１駆動回路１２０及び第２駆動回路２２０は、フレキシブル回路６１０を介して電気的に接続されており、一方から他方への情報の授受が可能である。また、第１駆動回路１２０は、メモリ５１０及び曲げ検知回路４２０と電気的に接続されており、第２駆動回路２２０は、メモリ５１０と電気的に接続されている。第１駆動回路１２０及び第２駆動回路２２０は、後述する画像データをメモリ５１０から読み出し、画像データに割り当てられたページ番号を認識する機能を有する。
【０００８】
連結部材３１０は、右ページ部と左ページ部とを連結する曲がる部材である。連結部材３１０は、その一端が右ページ部を支持し、他端が左ページ部を支持する。連結部材３１０は、外力が与えられることにより、第１表示体１１０と第２表示体２１０とが対向するような、すなわち表示面が重なるような曲げ変形が可能である。なお、連結部材３１０は、全体として弾性を有し、曲げ変形の後に自ら元の形状に戻ろうとするものであってもよいし、曲げ変形の後に外力によって元の形状に戻るものであってもよい。
【０００９】
曲げセンサ４１０は、連結部材３１０の曲げ変形に応じて曲がるセンサである。本実施形態の曲げセンサ４１０は、曲げ変形に応じて電気的特性が変化するセンサであり、曲げ変形に応じて抵抗（電気抵抗）が変化する金属の部材を有するセンサである。曲げ検知回路４２０は、曲げセンサ４１０の抵抗を検知することにより、連結部材３１０の曲げ角度を検知する回路である。曲げ検知回路４２０は、曲げセンサ４１０の抵抗が後述する所定の閾値に達すると、その旨を表すデータを出力し、第１駆動回路１２０に供給する。曲げセンサ４１０及び曲げ検知回路４２０は、これらが協働することによって曲げ角度を検知する検知手段として機能する。
【００１０】
メモリ５１０は、第１表示体１１０又は第２表示体２１０に表示される画像を表す書籍ファイルを記憶する記憶手段である。メモリ５１０は、データが書き換え可能であると望ましく、例えば、フラッシュメモリである。また、メモリ５１０は、いわゆるメモリカードのように、表示装置１０に対して着脱可能であると、より望ましい。
なお、書籍ファイルは、複数の画像データを含むデータであり、各画像データには、あらかじめ決められたページ番号が割り当てられている。本実施形態において、各々の画像データには、第１ページ、第２ページ、第３ページ、…、というように、連続する自然数のいずれかがページ番号として割り当てられている。書籍ファイルは、第１駆動回路１２０及び第２駆動回路２２０がこのページ番号を認識できるように構成されている。
【００１１】
フレキシブル基板６１０は、連結部材３１０の曲げ変形に応じて曲がるプリント基板である。フレキシブル基板６１０には、第１駆動回路１２０と第２駆動回路２２０とを電気的に接続する配線と、第１駆動回路１２０とメモリ５１０とを電気的に接続する配線とがパターニングされている。
【００１２】
図３は、本実施形態における曲げ角度を説明する図である。本実施形態において、曲げ角度とは、右ページ部１０Ｒ及び左ページ部１０Ｌの一方に対する他方の傾きを表す角度であり、右ページ部１０Ｒと左ページ部１０Ｌとが見開きの状態で平面状になっている場合の角度を０°とする角度をいう。すなわち、曲げ角度は、図３のθである。曲げ角度は、表示装置１０が見開きの状態から閉じられるにつれて大きくなり、２つの表示面が対向して重なる状態（完全に閉じた状態）となったときに最大（１８０°）となる。
【００１３】
図４は、曲げ検知回路４２０が出力する抵抗Ｒと曲げ角度θとの関係を例示する図である。同図に示すように、抵抗Ｒは、曲げ角度θの増加に応じて増加する。つまり、抵抗Ｒと曲げ角度θとが同図に示す関係にある場合には、曲げ角度θが大きくなるほど、抵抗Ｒも大きくなる。また、抵抗Ｒに対しては、所定の閾値Ｔｈがあらかじめ設定されている。この閾値Ｔｈの値は、任意である。
なお、図４においては、説明の便宜上、抵抗Ｒが曲げ角度θの増加に対して直線的に増加するように示しているが、実際には直線状であるとは限らない。いずれにせよ、抵抗Ｒは、検知対象とする曲げ角度θの範囲において、曲げ角度θに応じた値を一意的に求められるものであれば、どのように値を変化させるものであってもよい。
【００１４】
本実施形態の表示装置１０の構成は、以上のとおりである。表示装置１０は、この構成のもと、メモリ５１０に記憶された画像データを読み出し、第１表示体１１０及び第２表示体２１０にその画像を表示する。表示装置１０は、上述した曲げ角度に応じて表示する画像を制御し、画像の変更を行うものである。すなわち、ユーザがページ遷移のために表示装置１０に対して行う操作は、右ページ部１０Ｒ及び左ページ部１０Ｌの一方を他方に向けて閉じる動作である。表示装置１０は、このような動作による外力を与えられて曲げ角度が変化し、曲げ角度が所定の閾値以上となったことを検知した場合に、ページ遷移を行う。
【００１５】
図５は、ページ遷移時における表示装置１０の動作を示すフローチャートである。同図に示すように、表示装置１０は、曲げ角度が所定の閾値以上であると曲げ検知回路４２０が検知したことを契機に、本動作を開始する（ステップＳ１）。このとき、表示装置１０においては、曲げ検知回路４２０によって、曲げ角度が所定の閾値に達したことを表すデータが第１駆動回路１２０に出力される。第１駆動回路１２０は、このデータを取得すると、これを第２駆動回路２２０に供給する。
【００１６】
第２駆動回路２２０は、曲げ角度が所定の閾値に達したことを表すデータを取得すると、この時に表示している画像データのページ番号を特定する（ステップＳ２）。このとき特定されるページ番号を、ここでは「ｎ」とする。第２駆動回路２２０は、ページ番号を特定すると、特定したページ番号の次のページ番号が割り当てられた画像を第２表示体２１０に表示させる。すなわち、このとき第２駆動回路２２０は、第（ｎ＋１）ページの画像データをメモリ５１０から読み出し、その画像を第２表示体２１０に表示させる（ステップＳ３）。また、第２駆動回路２２０は、ページ番号を特定すると、特定したページ番号を第１駆動回路１２０に供給する。
【００１７】
第１駆動回路１２０は、第２駆動回路２２０からページ番号を取得すると、取得したページ番号が割り当てられた画像を第１表示体１１０に表示させる（ステップＳ４）。すなわち、このとき第１駆動回路１２０は、第ｎページの画像データをメモリ５１０から読み出し、その画像を第１表示体１１０に表示させる。
なお、ステップＳ４において、第１駆動回路１２０は、第２駆動回路２２０からページ番号ではなく、当該ページ番号が割り当てられた画像データの供給を受けるようにしてもよい。
【００１８】
表示装置１０は、このような処理により、例えば、右ページ部１０Ｒに第１ページを表示している場合において、ユーザが表示装置１０を閉じる操作を行うと、右ページ部１０Ｒに表示する画像を第１ページから第２ページに変更するとともに、左ページ部１０Ｌに第１ページを表示する。また、その後、ユーザが再度表示装置１０を閉じる操作を行うと、右ページ部１０Ｒに表示する画像を第２ページから第３ページに変更するとともに、左ページ部１０Ｌに表示する画像を第１ページから第２ページに変更する。このように、表示装置１０は、ユーザの操作に応じて、右ページ部１０Ｒに次のページの画像を表示するとともに、右ページ部１０Ｒに表示されていたページの画像を左ページ部１０Ｌに表示する、という動作を繰り返す。
【００１９】
以上のとおり、本実施形態の表示装置１０によれば、これをユーザが開閉する動作を行うことによってページ遷移を行うことが可能である。この動作は、本を読み、ページをめくる場合の通常の動作であるため、この表示装置１０に接したユーザにあっては、事前の操作説明や、操作の考察を行わなくても、ページ遷移のための操作を行える可能性が高い。すなわち、本実施形態の表示装置１０は、本を読む場合と同様の直感的な操作によりページ遷移を行わせ、画像の書き換えを行うことを可能にするものである。
【００２０】
また、本実施形態の表示装置１０は、曲げセンサ４１０が連結部材３１０に取り付けられ、連結部材３１０の曲げ変形に応じた抵抗値を出力するため、ページの左右の別なく検知を行うことが可能である。よって、本実施形態の表示装置１０によれば、右ページ部１０Ｒの動きと左ページ部１０Ｌの動きとを別個のセンサにより検知する構成に比べ、センサの数を減らすことが可能である。
【００２１】
［変形例］
本発明は、上述した実施形態と異なる形態での実施が可能である。以下に示す変形例は、本発明に適用可能な変形の一例である。なお、これらの変形例は、必要に応じて、各々を適宜に組み合わせて実施されてもよい。
【００２２】
（１）変形例１
本発明に係る表示装置において、表示体（表示面）の数は、任意であり、上述した表示装置１０のように２面である必要はない。
図６は、４面の表示体を有する表示装置を例示する図である。同図に示す表示装置２０は、第１表示体７１０、第２表示体７２０、第３表示体７３０及び第４表示体７４０を備える。ここにおいて、第１表示体７１０及び第４表示体７４０は、平面状に固定されており、曲げ変形が行い得ない構成であるとする。そこで、第１表示体７１０及び第４表示体７４０が設けられた部分のことを、以下においては「固定ページ部２０Ａ」という。また、第２表示体７２０及び第３表示体７３０は、これらが一体となって図６（ｂ）中の矢印が示す方向（Ａ１方向及びＡ２方向）に移動可能な構成であるとする。そこで、第２表示体７２０及び第３表示体７３０が設けられた部分のことを、以下においては「移動ページ部２０Ｂ」という。なお、説明の便宜上、以下においては、Ａ１方向を「左方向」、Ａ２方向を「右方向」という。
【００２３】
また、表示装置２０は、移動ページ部２０Ｂを支持する連結部材７５０と、この連結部材７５０の曲げ角度を検知する曲げセンサ７６０とを備える。連結部材７５０は、固定ページ部２０Ａと移動ページ部２０Ｂとを連結するものである。また曲げセンサ７６０は、上述した曲げセンサ４１０と同様の構成を有するものである。
なお、表示装置２０は、表示装置１０と同様の駆動回路、曲げ検知回路及びメモリを備えるが、その図示は省略する。
【００２４】
表示装置２０は、移動ページ部２０Ｂを第１表示体７１０に対向させた状態、すなわち図６（ａ）の状態か、移動ページ部２０Ｂを第４表示体７４０に対向させた状態、すなわち図６（ｃ）の状態のいずれかによってユーザに視認されるものである。ユーザは、ページ遷移を行う場合には、移動ページ部２０Ｂをめくるような操作、すなわち、図６（ａ）の状態において左方向に移動ページ部２０Ｂを移動させるか、図６（ｃ）の状態において右方向に移動ページ部２０Ｂを移動させる操作を行う。
【００２５】
図７は、表示装置２０におけるページ遷移を例示する図である。図７（ａ）に示すように、第１表示体７１０に第ｎページ、第２表示体７２０に第（ｎ＋１）ページが表示されている場合において、ユーザが移動ページ部２０Ｂを左方向に移動させると、表示装置２０は、図７（ｂ）に示すように、第３表示体７３０に第（ｎ＋２）ページ、第４表示体７４０に第（ｎ＋３）ページを表示させる。なお、このとき、表示装置２０は、第１表示体７１０及び第２表示体７２０の書き換えをまだ行わなくてもよい。
続いて、図７（ｂ）に示す状態において、ユーザが移動ページ部２０Ｂを右方向に移動させると、表示装置２０は、図７（ｃ）に示すように、第１表示体７１０に第（ｎ＋４）ページ、第２表示体７２０に第（ｎ＋５）ページを表示させる。
【００２６】
なお、表示装置２０によるページ遷移は、図７の例に限らない。
図８は、表示装置２０におけるページ遷移の他の例を示す図である。このように、表示装置２０は、ユーザが移動ページ部２０Ｂを移動させた前後において、新たなページを１ページだけ表示させ、残りの１ページには閉じられた側に表示されていた画像を表示させてもよい。このようにすれば、ページ遷移後に直前のページを読み直したいような場合の操作がより容易となる。
【００２７】
（２）変形例２
本発明において、複数の表示体は、変形例１において示したように、１回の書き換えに際しそのすべてが書き換えられなくてもよい。すなわち、複数の表示体は、書き換えられない表示体を含んでもよい。例えば、表示装置１０において、左ページ部１０Ｌ又は右ページ部１０Ｒのいずれか一方に常時同じ画像を表示させ、他方のみによってページ遷移を行ってもよい。
要するに、本発明に係る表示装置においては、その書き換えに際し、複数の表示体の少なくともいずれかの画像が変更されれば足りる。
【００２８】
（３）変形例３
上述した実施形態は、曲げ角度の範囲が０°から１８０°までのものであった。しかし、本発明において、曲げ角度の範囲は、さらに大きくてもよい。
図９は、一方の表示体が他方の表示体に対して３６０°曲がる（回転する）ようにした表示装置を例示する図である。同図において、表示装置３０は、第１表示体８１０と、第２表示体８２０と、連結部材８３０とを備える。表示装置３０は、図９（ｂ）又は図９（ｄ）に示す状態のときに、第１表示体８１０の表示面と第２表示体８２０の表示面とが反対の方向を向くように構成されている。なお、連結部材８３０は、同図においては簡略的に示されているが、実際には連結部材３１０のような構造を有している。
【００２９】
本変形例の表示装置３０において、上述した曲げセンサ４１０のような、検知可能な曲げ角度の範囲が０°から１８０°までであるセンサを用いる場合には、かかるセンサを複数設ければよい。
図１０は、表示装置３０の曲げセンサを例示する図である。同図において、曲げセンサ８４０は、図中の０°の位置を基準とした場合に、図中の０°〜１８０°の範囲の曲げ角度を検知する。一方、曲げセンサ８５０は、図中の０°の位置を基準とした場合に、図中の１８０°〜３６０°（すなわち０°）の範囲の曲げ角度を検知する。
【００３０】
表示装置３０は、第１表示体８１０及び第２表示体８２０を重ねることにより、第１表示体８１０又は第２表示体８２０の一方のみが視認されるようにして用いるものである。以下においては、説明の便宜上、このとき視認される側のことを「上面」といい、重なって視認されない側のことを「下面」という。すなわち、表示装置３０において、ユーザがページ遷移を行うときには、第１表示体８１０及び第２表示体８２０のうちの上面にあるものを回転させるようにして下面に移動させ、それまで下面にあったものが上面に移動される。このとき、表示装置３０は、例えば、上面にある第１表示体８１０が第ｎページの画像を表示していた場合において、第２表示体８２０が上面に移動すると、第２表示体８２０に第（ｎ＋１）ページの画像を表示させる、という動作をユーザの操作に応じて繰り返す。
【００３１】
なお、表示装置３０は、第１表示体８１０及び第２表示体８２０の回転移動を双方向に検知可能である。曲げセンサ８４０及び８５０は、ある方向に回転するときには抵抗が増加し、ある方向と逆方向に回転するときには抵抗が減少するため、抵抗の増減を検知することによって曲げ角度を双方向に検知可能である。そのため、表示装置３０は、この双方向の回転のうちの一方を正方向の回転（例えば、時計回りの回転）とし、他方を負方向の回転（例えば、反時計回りの回転）とすると、曲げ角度の変化が正方向である場合と負方向である場合とで画像の変更の態様を異ならせることができる。例えば、表示装置３０は、曲げ角度の変化が正方向である場合にはページ番号が増加するように画像を書き換え、曲げ角度の変化が負方向である場合にはページ番号が減少するように画像を書き換えてもよい。このようにすれば、表示体を回転させる操作によって、ページを進める動作とページを戻す動作の双方が行えるようになる。
【００３２】
（４）変形例４
上述した実施形態において、曲げ検知回路４２０は、曲げセンサ４１０の抵抗が所定の閾値に達すると、その旨を表すデータを第１駆動回路１２０に供給し、第１駆動回路１２０は、このデータを取得したことを契機に画像の変更を行う構成であると説明されている。しかし、曲げ検知回路４２０は、曲げセンサ４１０の抵抗を表すデータを第１駆動回路１２０に逐次供給し、第１駆動回路１２０が、取得したデータにより表される抵抗が所定の閾値に達したことを契機に画像の変更を行う構成であってもよい。
【００３３】
また、本発明に係る表示装置は、曲げ角度の変化の速さや変化量を演算などによって求め、この速さや変化量の相違に応じて画像の変更の態様を異ならせてもよい。例えば、本発明に係る表示装置は、曲げ角度の変化の速さがある閾値以下である場合には、ページ遷移を１ページずつで行い、曲げ角度の変化の速さがある閾値を上回った場合には、ページ遷移を複数ページで行うようにしてもよい。このようにすれば、ユーザは、ページを飛ばすことが可能となる。すなわち、ユーザは、ある書籍のうちの必要な部分については、ページ遷移のための操作をゆっくり行うことによって各ページを表示させるようにし、書籍のうちの不要な部分については、ページ遷移のための操作を素早く行うことによって一部のページのみ表示させるようにすることができる。なお、この場合において、表示装置は、曲げ角度の変化が速いほど飛ばすページ数を増やすようにしてもよい。
【００３４】
図１１は、この変形例を表示装置１０により例示する図である。ここにおいて、表示装置１０は、図１１（ａ）に示すように、左ページ部１０Ｌに第ｎページ、右ページ部１０Ｒに第（ｎ＋１）ページをはじめに表示しているとする。この場合において、表示装置１０は、ユーザが閉じる操作を（ある速さ以下で）ゆっくり行うと、図１１（ｂ）に示すように、左ページ部１０Ｌに第（ｎ＋２）ページ、右ページ部１０Ｒに第（ｎ＋３）ページを、それぞれ表示させる。一方、表示装置１０は、ユーザが閉じる操作を（ある速さよりも）素早く行うと、左ページ部１０Ｌに第（ｎ＋１０）ページ、右ページ部１０Ｒに第（ｎ＋１１）ページを、それぞれ表示させる。
【００３５】
また、本発明に係る表示装置は、例えば、見開きの状態からの曲げ角度の変化量の大小によって表示する画像を異ならせてもよい。本発明に係る表示装置は、例えば、曲げ角度の変化量が小さい場合には、通常のページ遷移に従った表示を行い、曲げ角度の変化量が大きい場合には、通常のページ遷移と異なる画像を表示するようにしてもよい。この変形例は、例えば、上述した表示装置１０において、曲げ角度が９０°以下である場合には、実施形態で説明したような通常のページ遷移が行われ、曲げ角度が９０°を超える場合には、所定のページの画像（例えば、表示や目次など）が表示される、といったものである。
【００３６】
さらに、例えば、書換速度、すなわち表示面の全面を書き換えることに要する速度に応じて消費電力が異なるような場合には、曲げ角度の変化の速さや変化量の相違に応じて書換速度を異ならせてもよい。一般に、記憶性表示素子を用いた表示装置においては、書換速度を高速にすると消費電力が増大する傾向がある。そこで、このような場合には、例えば、曲げ角度の変化の速さがゆっくりである場合には、書換速度を低速にし、曲げ角度の変化の速さが素早い場合には、書換速度を高速にするなどしてもよい。このようにすれば、書換速度と消費電力のいずれを優先するのかをユーザに選択させることが可能となる。
【００３７】
（５）変形例５
上述した実施形態は、書籍を左から右に向かって読む場合を例示したものである。しかしながら、本発明は、縦書きの書籍を読む場合などのように、書籍を右から左に向かって読む場合に適用してもよい。
【００３８】
（６）変形例６
本発明における出力値は、抵抗値に限らない。例えば、本発明における出力値は、電流や電圧でもよい。要するに、本発明における出力値は、曲げ変形に応じて変化するものであれば、いかなる物理量であってもよい。
【００３９】
（７）変形例７
本発明における表示体は、記憶性表示素子による表示体に限らない。本発明における表示体は、コレステリック液晶以外の液晶による表示素子や、有機エレクトロルミネッセンスによる表示素子などを用いたものであってもよい。
【図面の簡単な説明】
【００４０】
【図１】表示装置の構成を示す図
【図２】表示装置の構成示すブロック図
【図３】表示装置の曲げ角度を説明する図
【図４】抵抗Ｒと曲げ角度θとの関係を例示する図
【図５】表示装置の動作を示すフローチャート
【図６】４面の表示体を有する表示装置を例示する図
【図７】表示装置におけるページ遷移を例示する図
【図８】表示装置におけるページ遷移を例示する図
【図９】３６０°曲がる（回転する）表示装置を例示する図
【図１０】表示装置の曲げセンサを例示する図
【図１１】表示装置におけるページ遷移を例示する図
【符号の説明】
【００４１】
１０、２０、３０…表示装置、１１０、２１０、７１０、７２０、７３０、７４０、８１０、８２０…表示体、１２０、２２０…駆動回路、３１０…連結部材、４１０…曲げセンサ、４２０…曲げ検知回路、５１０…メモリ、６１０…フレキシブル基板
【図１】
2009223169.tif 000003
【図２】
2009223169.tif 000004
【図３】
2009223169.tif 000005
【図４】
2009223169.tif 000006
【図５】
2009223169.tif 000007
【図６】
2009223169.tif 000008
【図７】
2009223169.tif 000009
【図８】
2009223169.tif 000010
【図９】
2009223169.tif 000011
【図１０】
2009223169.tif 000012
【図１１】
2009223169.tif 000013